(57)【特許請求の範囲】
【請求項１】
写真フィルムに記録されたコマ画像の読み取りを行い、該読み取りにより得られた前記コマ画像のデジタル画像データに基づいて、記録材料に記録される画像のデジタル画像データを得る画像処理装置であって、
情報を表示する表示手段と、
前記読み取りにより得られたコマ画像について画像処理条件の検定作業を行うために複数のコマ画像を前記表示手段の１画面に同時に表示する場合に、各コマ画像について写真フィルムに記録されている前記各コマ画像の中に記録フォーマットの異なるコマ画像が含まれているか否かを判定する判定手段と、
前記判定手段で前記各コマ画像の中に記録フォーマットの異なるコマ画像が含まれていると判定されたときに、前記表示手段に表示される記録フォーマットの異なるコマ画像の大きさを変更及び配列を変更して前記表示手段に表示させる表示制御手段と、
を有することを特徴とする画像処理装置。
【発明の詳細な説明】
【０００１】
【発明の属する技術分野】
本発明は画像処理装置に係り、更に具体的には写真フィルムに記録されたコマ画像に対して予備読み取りを行い、予備読み取りの結果に基づいてコマ画像の本読み取りを行う際の読取条件を決定し、該読取条件でコマ画像の本読み取りを行い、該本読み取りにより得られたコマ画像のデジタル画像データに基づいて、記録材料に記録される画像のデジタル画像データを得る画像処理装置に関する。
【０００２】
【従来の技術】
近年では、写真フィルムに記録されたコマ画像をＣＣＤ等の読取センサによって光電的に読み取り、該読み取りによって得られたデジタル画像データに対し拡大縮小や各種補正等の画像処理を実行し、画像処理済のデジタル画像データに基づき変調したレーザ光により記録材料へ画像をプリントする技術が知られている。
【０００３】
このようにＣＣＤ等の読取センサによりコマ画像をデジタル的に読み取る技術では、精度の良い画像読み取りを実現するために、コマ画像を予備的に読み取り（いわゆるプレスキャン）、コマ画像の濃度等に応じた読取条件（例えば、コマ画像に照射する光量やＣＣＤの電荷蓄積時間等）を決定し、そして、この決定した読取条件でコマ画像を再度読み取っていた（いわゆるファインスキャン）。また、このファインスキャンの実行前、実行完了後又は実行中に、各コマ画像の画像データについての画像処理条件の検定作業を行っていた。
【０００４】
この検定作業では、例えば、仮に設定した各コマ画像についての画像処理条件で各コマ画像の画像データを画像処理して得られた検定用画像をディスプレイに表示し、オペレータがこの検定用画像を目視で確認して、その画質、濃度、色バランス等が適正か否かを判定し、適正である場合は該画像処理条件を採用し、適正でない場合は画像処理条件を修正することで、各コマ画像についての画像処理条件を決定していた。
【０００５】
【発明が解決しようとする課題】
ところで、上記のような検定作業を行う際に予備読み取り、または本読み取りにより得られた複数のコマ画像には種々の記録フォーマットで撮影されたコマ画像が存在する場合が有る。例えば、１３５フィルムでは標準サイズ（Ｆ）、バノラマサイズ（Ｐ）、ハーフサイズ（Ｈ）、ハイビジョンサイズ（ＨＶ）、また撮影情報を記録するための磁気層が形成されたＡＰＳフィルムでは標準サイズ（Ｃ）、ハイビジョンサイズ（Ｈ）、パノラマサイズ（Ｐ）等の記録フォーマットを選択することができる。
【０００６】
このように標準サイズの他にパノラマサイズ等の異なる記録フォーマットで撮影されたコマ画像が混在するような写真フィルムからプリントを作製するに際して複数のコマ画像を１画面に同時に表示して検定作業を行う場合、例えば、パノラマサイズの記録フォーマットで撮影したコマ画像が標準サイズのコマ画像に比して小さく表示されるために検定作業の作業効率が著しく低下するという問題が有った。
【０００７】
また標準サイズの他にパノラマサイズ等の異なる記録フォーマットで撮影されたコマ画像が混在するような写真フィルムからインデックスプリントを作製する場合にインデックスプリントでは例えば、パノラマサイズの記録フォーマットで撮影されたコマ画像が標準サイズのコマ画像に比して小さくプリントされるために視認性が低下するという問題が有った。
【０００８】
更に写真フィルムに記録された連続シーン等の関連が有る一連のコマ画像について検定作業を行う場合にこれらの一連のコマ画像をまとめて同一の補正条件で補正をする必要が有るが、複数のコマ画像を同時に１画面で表示する際に予め定められたコマ数だけしか表示されないために、連続シーン等の関連が有る一連のコマ画像が１画面に表示されず、画面を切り換える必要が有り、検定作業の作業効率が低下するという問題が有った。
【０００９】
本発明は、このような事情に鑑みてなされたものであり、写真フィルムに記録フォーマットの異なるコマ画像が混在して記録されている場合において、記録フォーマットの異なるコマ画像の検定作業の作業効率の向上を図った画像処理装置を提供することを第１の目的とする。
【００１２】
【課題を解決するための手段】
上記第１の目的を達成するために請求項１に記載の発明は、写真フィルムに記録されたコマ画像の読み取りを行い、該読み取りにより得られた前記コマ画像のデジタル画像データに基づいて、記録材料に記録される画像のデジタル画像データを得る画像処理装置であって、情報を表示する表示手段と、前記読み取りにより得られたコマ画像について画像処理条件の検定作業を行うために複数のコマ画像を前記表示手段の１画面に同時に表示する場合に、各コマ画像について写真フィルムに記録されている前記各コマ画像の中に記録フォーマットの異なるコマ画像が含まれているか否かを判定する判定手段と、前記判定手段で前記各コマ画像の中に記録フォーマットの異なるコマ画像が含まれていると判定されたときに、前記表示手段に表示される記録フォーマットの異なるコマ画像の大きさ及び配列を変更して前記表示手段に表示させる表示制御手段と、を有することを特徴とする。
【００１３】
上記構成の画像処理装置では、写真フィルムに記録されたコマ画像の読み取りを行い、該読み取りにより得られた前記コマ画像のデジタル画像データに基づいて、記録材料に記録される画像のデジタル画像データを得る。
【００１４】
表示制御手段は、前記読み取りにより得られたコマ画像について画像処理条件の検定作業を行うために複数のコマ画像を１画面に同時に表示する場合に、各コマ画像について写真フィルムに記録されている前記各コマ画像の記録フォーマットに応じて表示画像の大きさ及び配列を変更して表示手段に表示させる。
【００１５】
請求項１に記載の発明によれば、写真フィルムに記録フォーマットの異なるコマ画像が混在して記録されている場合において、記録フォーマットの異なるコマ画像の検定作業を行う際に複数のコマ画像を前記表示手段の１画面に同時に表示する場合に各コマ画像について写真フィルムに記録されている前記各コマ画像の中に記録フォーマットの異なるコマ画像が含まれているか否かを判定する。前記各コマ画像の中に記録フォーマットの異なるコマ画像が含まれていると判定されたときに、前記表示手段に表示される記録フォーマットの異なるコマ画像の大きさ及び配列を変更して前記表示手段に表示させる。例えば、パノラマサイズの記録フォーマットで撮影されたコマ画像は標準サイズの記録フォーマットで撮影されたコマ画像と同等、あるいはそれ以上の大きさで表示され、配列を変更できるので、検定作業の作業効率の向上が図れる。
【００２８】
【発明の実施の形態】
以下、本発明の実施形態を図面を参照して説明する。
【００２９】
［システム全体の概略構成］
まず、本発明の実施形態に係る画像処理装置としてのディジタルラボシステムについて説明する。図１には本発明の実施形態に係るディジタルラボシステム１０の概略構成が示されており、図２にはディジタルラボシステム１０の外観が示されている。図１に示すように、このディジタルラボシステム１０は、ラインＣＣＤスキャナ１４、画像処理部１６、レーザプリンタ部１８、及びプロセッサ部２０を含んで構成されており、ラインＣＣＤスキャナ１４と画像処理部１６は、図２に示す入力部２６として一体化されており、レーザプリンタ部１８及びプロセッサ部２０は、図２に示す出力部２８として一体化されている。
【００３０】
ラインＣＣＤスキャナ１４は、ネガフィルムやリバーサルフィルム等の写真フィルムに記録されているコマ画像を読み取るためのものであり、例えば１３５サイズの写真フィルム、１１０サイズの写真フィルム、及び透明な磁気層が形成された写真フィルム（２４０サイズの写真フィルム：所謂ＡＰＳフィルム）、１２０サイズ及び２２０サイズ（ブローニサイズ）の写真フィルムのコマ画像を読取対象とすることができる。ラインＣＣＤスキャナ１４は、上記の読取対象のコマ画像をラインＣＣＤで読み取り、画像データを出力する。
【００３１】
画像処理部１６は、ラインＣＣＤスキャナ１４から出力された画像データ（スキャン画像データ）が入力されると共に、デジタルカメラでの撮影によって得られた画像データ、コマ画像以外の原稿（例えば反射原稿等）をスキャナで読み取ることで得られた画像データ、コンピュータで生成された画像データ等（以下、これらをファイル画像データと総称する）を外部から入力する（例えば、メモリカード等の記憶媒体を介して入力したり、通信回線を介して他の情報処理機器から入力する等）ことも可能なように構成されている。
【００３２】
画像処理部１６は、入力された画像データに対して各種の補正等の画像処理を行って、記録用画像データとしてレーザプリンタ部１８へ出力する。また、画像処理部１６は、画像処理を行った画像データを画像ファイルとして外部へ出力する（例えばメモリカード等の記憶媒体に出力したり、通信回線を介して他の情報処理機器へ送信する等）ことも可能とされている。
【００３３】
レーザプリンタ部１８はＲ、Ｇ、Ｂのレーザ光源を備えており、画像処理部１６から入力された記録用画像データに応じて変調したレーザ光を印画紙に照射して、走査露光によって印画紙に画像を記録する。また、プロセッサ部２０は、レーザプリンタ部１８で走査露光によって画像が記録された印画紙に対し、発色現像、漂白定着、水洗、乾燥の各処理を施す。これにより、印画紙上に画像が形成される。
【００３４】
［ラインＣＣＤスキャナの構成］
次にラインＣＣＤスキャナ１４の構成について説明する。図３にはラインＣＣＤスキャナ１４の光学系の概略構成が示されている。この光学系は、ハロゲンランプやメタルハライドランプ等から成り写真フィルム２２に光を照射する光源３０を備えており、光源３０の光射出側には、写真フィルム２２に照射する光を拡散光とする光拡散ボックス３６が順に配置されている。
【００３５】
写真フィルム２２は、光拡散ボックス３６の光射出側に配置されたフィルムキャリア３８（図５参照、図３では図示省略）によって、コマ画像の画面が光軸と垂直になるように搬送される。なお、図３では長尺状の写真フィルム２２を示しているが、１コマ毎にスライド用のホルダに保持されたスライドフィルム（リバーサルフィルム）やＡＰＳフィルムについては、各々専用のフィルムキャリアが用意されており（ＡＰＳフィルム用のフィルムキャリアは磁気層に磁気記録された情報を読み取る磁気ヘッドを有している）、これらの写真フィルムも搬送することが可能とされている。
【００３６】
また、光源３０と光拡散ボックス３６との間には、Ｃ（シアン）、Ｍ（マゼンダ）、Ｙ（イエロー）の調光フィルタ１１４Ｃ、１１４Ｍ、１１４Ｙが射出光の光軸に沿って順に設けられており、写真フィルム２２を挟んで光源３０と反対側には、光軸に沿って、コマ画像を透過した光を結像させるレンズユニット４０、ラインＣＣＤ１１６が順に配置されている。図３ではレンズユニット４０として単一のレンズのみを示しているが、レンズユニット４０は、実際には複数枚のレンズから構成されたズームレンズであってもよい。
【００３７】
ラインＣＣＤ１１６は、ＣＣＤセルが一列に多数配置されかつ電子シャッタ機構が設けられたセンシング部が、間隔を空けて互いに平行に３ライン設けられており、各センシング部の光入射側にＲ、Ｇ、Ｂの色分解フィルタの何れかが各々取付けられて構成されている（所謂３ラインカラーＣＣＤ）。ラインＣＣＤ１１６は、各センシング部の受光面がレンズユニット４０の結像点位置に一致するように配置されている。
【００３８】
また、各センシング部の近傍には転送部が各センシング部に対応して各々設けられており、各センシング部の各ＣＣＤセルに蓄積された電荷は、対応する転送部を介して順に転送される。また図示は省略するが、ラインＣＣＤ１１６とレンズユニット４０との間にはシャッタが設けられている。
【００３９】
図４にはラインＣＣＤスキャナ１４の電気系の概略構成が示されている。ラインＣＣＤスキャナ１４は、ラインＣＣＤスキャナ１４全体の制御を司るマイクロプロセッサ４６を備えている。マイクロプロセッサ４６には、バス６２を介してＲＡＭ６４（例えばＳＲＡＭ）、ＲＯＭ６６（例えば記憶内容を書換え可能なＲＯＭ）が接続されていると共に、モータドライバ４８が接続されており、モータドライバ４８にはフィルタ駆動モータ５４が接続されている。フィルタ駆動モータ５４は調光フィルタ１１４Ｃ、１１４Ｍ、１１４Ｙを各々独立にスライド移動させることが可能とされている。
【００４０】
マイクロプロセッサ４６は、図示しない電源スイッチのオンオフに連動して光源３０を点消灯させる。また、マイクロプロセッサ４６は、ラインＣＣＤ１１６によるコマ画像の読み取り（測光）を行う際に、フィルタ駆動モータ５４によって調光フィルタ１１４Ｃ、１１４Ｍ、１１４Ｙを各々独立にスライド移動させ、ラインＣＣＤ１１６に入射される光量を各成分色光毎に調節する。
【００４１】
またモータドライバ４８には、レンズユニット４０の複数枚のレンズの位置を相対的に移動させることでレンズユニット４０のズーム倍率を変更するズーム駆動モータ７０、レンズユニット４０全体を移動させることでレンズユニット４０の結像点位置を光軸に沿って移動させるレンズ駆動モータ１０６が接続されている。マイクロプロセッサ４６は、コマ画像のサイズやトリミングを行うか否か等に応じて、ズーム駆動モータ７０によってレンズユニット４０のズーム倍率を所望の倍率に変更する。
【００４２】
一方、ラインＣＣＤ１１６にはタイミングジェネレータ７４が接続されている。タイミングジェネレータ７４は、ラインＣＣＤ１１６や後述するＡ／Ｄ変換器８２等を動作させるための各種のタイミング信号（クロック信号）を発生する。ラインＣＣＤ１１６の信号出力端は、増幅器７６を介してＡ／Ｄ変換器８２に接続されており、ラインＣＣＤ１１６から出力された信号は、増幅器７６で増幅されＡ／Ｄ変換器８２でディジタルデータに変換される。
【００４３】
Ａ／Ｄ変換器８２の出力端は、相関二重サンプリング回路（ＣＤＳ）８８を介してインタフェース（Ｉ／Ｆ）回路９０に接続されている。ＣＤＳ８８では、フィードスルー信号のレベルを表すフィードスルーデータ及び画素信号のレベルを表す画素データを各々サンプリングし、各画素毎に画素データからフィードスルーデータを減算する。そして、演算結果（各ＣＣＤセルでの蓄積電荷量に正確に対応する画素データ）を、Ｉ／Ｆ回路９０を介してスキャン画像データとして画像処理部１６へ順次出力する。
【００４４】
なお、ラインＣＣＤ１１６からはＲ、Ｇ、Ｂの測光信号が並列に出力されるので、増幅器７６、Ａ／Ｄ変換器８２、ＣＤＳ８８から成る信号処理系も３系統設けられており、Ｉ／Ｆ回路９０からは、スキャン画像データとしてＲ、Ｇ、Ｂの画像データが並列に出力される。
【００４５】
また、モータドライバ４８にはシャッタを開閉させるシャッタ駆動モータ９２が接続されている。ラインＣＣＤ１１６の暗出力については、後段の画像処理部１６で補正されるが、暗出力レベルは、コマ画像の読み取りを行っていないときに、マイクロプロセッサ４６がシャッタを閉止させることで得ることができる。
【００４６】
［画像処理部の構成］
次に画像処理部１６の構成について図５を参照して説明する。画像処理部１６は、ラインＣＣＤスキャナ１４に対応してラインスキャナ補正部１２２が設けられている。ラインスキャナ補正部１２２は、ラインＣＣＤスキャナ１４から並列に出力されるＲ、Ｇ、Ｂの画像データに対応して、暗補正回路１２４、欠陥画素補正部１２８、及び明補正回路１３０から成る信号処理系が３系統設けられている。
【００４７】
暗補正回路１２４は、ラインＣＣＤ１１６の光入射側がシャッタにより遮光されている状態で、ラインＣＣＤスキャナ１４から入力されたデータ（ラインＣＣＤ１１６のセンシング部の各セルの暗出力レベルを表すデータ）を各セル毎に記憶しておき、ラインＣＣＤスキャナ１４から入力されたスキャン画像データから、各画素毎に対応するセルの暗出力レベルを減ずることによって補正する。
【００４８】
また、ラインＣＣＤ１１６の光電変換特性は各セル単位でのばらつきもある。欠陥画素補正部１２８の後段の明補正回路１３０では、ラインＣＣＤスキャナ１４に画面全体が一定濃度の調整用のコマ画像がセットされている状態で、ラインＣＣＤ１１６で前記調整用のコマ画像を読み取ることによりラインＣＣＤスキャナ１４から入力された調整用のコマ画像の画像データ（この画像データが表す各画素毎の濃度のばらつきは各セルの光電変換特性のばらつきに起因する）に基づいて各セル毎にゲインを定めておき、ラインＣＣＤスキャナ１４から入力された読取対象のコマ画像の画像データを、各セル毎に定めたゲインに応じて各画素毎に補正する。
【００４９】
一方、調整用のコマ画像の画像データにおいて、特定の画素の濃度が他の画素の濃度と大きく異なっていた場合には、ラインＣＣＤ１１６の前記特定の画素に対応するセルには何らかの異常があり、前記特定の画素は欠陥画素と判断できる。欠陥画素補正部１２８は調整用のコマ画像の画像データに基づき欠陥画素のアドレスを記憶しておき、ラインＣＣＤスキャナ１４から入力された読取対象のコマ画像の画像データのうち、欠陥画素のデータについては周囲の画素のデータから補間してデータを新たに生成する。
【００５０】
また、ラインＣＣＤ１１６は３本のライン（ＣＣＤセル列）が写真フィルム２２の搬送方向に沿って所定の間隔を空けて順に配置されているので、ラインＣＣＤスキャナ１４からＲ、Ｇ、Ｂの各成分色の画像データの出力が開始されるタイミングには時間差がある。ラインスキャナ補正部１２２は、コマ画像上で同一の画素のＲ、Ｇ、Ｂの画像データが同時に出力されるように、各成分色毎に異なる遅延時間で画像データの出力タイミングの遅延を行う。
【００５１】
ラインスキャナ補正部１２２の出力端はセレクタ１３２の入力端に接続されており、補正部１２２から出力された画像データはセレクタ１３２に入力される。また、セレクタ１３２の入力端は入出力コントローラ１３４のデータ出力端にも接続されており、入出力コントローラ１３４からは、外部から入力されたファイル画像データがセレクタ１３２に入力される。セレクタ１３２の出力端は入出力コントローラ１３４、イメージプロセッサ部１３６Ａ、１３６Ｂのデータ入力端に各々接続されている。セレクタ１３２は、入力された画像データを、入出力コントローラ１３４、イメージプロセッサ部１３６Ａ、１３６Ｂの各々に選択的に出力可能とされている。
【００５２】
イメージプロセッサ部１３６Ａは、メモリコントローラ１３８、イメージプロセッサ１４０、画像メモリ１４１、３個のフレームメモリ１４２Ａ、１４２Ｂ、１４２Ｃを備えている。画像メモリ１４１は少なくとも写真フィルム１本分のフィルム画像の画像データを記憶可能な容量を有しており、プレスキャン、ファインスキャンにより得られたコマ画像の画像データ、あるいは検定作業が行われたコマ画像の画像データが記憶されるようになっている。フレームメモリ１４２Ａ、１４２Ｂ、１４２Ｃは各々１フレーム分のコマ画像の画像データを記憶可能な容量を有しており、セレクタ１３２から入力された画像データは３個のフレームメモリ１４２の何れかに記憶されるが、メモリコントローラ１３８は、入力された画像データの各画素のデータが、フレームメモリ１４２の記憶領域に一定の順序で並んで記憶されるように、画像データをフレームメモリ１４２に記憶させる際のアドレスを制御する。
【００５３】
イメージプロセッサ１４０は、フレームメモリ１４２に記憶された画像データを取込み、階調変換、色変換、画像の超低周波輝度成分の階調を圧縮するハイパートーン処理、粒状を抑制しながらシャープネスを強調するハイパーシャープネス処理等の各種の画像処理を行う。なお、上記の画像処理の処理条件は、オートセットアップエンジン１４４（後述）によって自動的に演算され、演算された処理条件に従って画像処理が行われる。イメージプロセッサ１４０は入出力コントローラ１３４に接続されており、画像処理を行った画像データは、フレームメモリ１４２に一旦記憶された後に、所定のタイミングで入出力コントローラ１３４へ出力される。なお、イメージプロセッサ部１３６Ｂは、上述したイメージプロセッサ部１３６Ａと同一の構成であるので説明を省略する。
【００５４】
ところで、本実施形態では個々のコマ画像に対し、ラインＣＣＤスキャナ１４において異なる解像度で２回の読み取りを行う。１回目の比較的低解像度での読み取り（以下、プレスキャンという）では、コマ画像の濃度が極端に低い場合（例えばネガフィルムにおける露光オーバのネガ画像）にも、ラインＣＣＤ１１６で蓄積電荷の飽和が生じないように決定した読取条件（写真フィルムに照射する光のＲ、Ｇ、Ｂの各波長域毎の光量、ＣＣＤの電荷蓄積時間）でコマ画像の読み取りが行われる。このプレスキャンによって得られた画像データ（プレスキャン画像データ）は、セレクタ１３２から入出力コントローラ１３４に入力され、更に入出力コントローラ１３４に接続されたオートセットアップエンジン１４４に出力される。
【００５５】
オートセットアップエンジン１４４は、ＣＰＵ１４６、ＲＡＭ１４８（例えばＤＲＡＭ）、ＲＯＭ１５０（例えば記憶内容を書換え可能なＲＯＭ）、入出力ポート１５２を備え、これらがバス１５４を介して互いに接続されて構成されている。
【００５６】
オートセットアップエンジン１４４は、入出力コントローラ１３４から入力された複数コマ分のコマ画像のプレスキャン画像データに基づいて、ラインＣＣＤスキャナ１４による２回目の比較的高解像度での読み取り（以下、ファインスキャンという）によって得られた画像データ（ファインスキャン画像データ）に対する画像処理の処理条件を演算し、演算した処理条件をイメージプロセッサ部１３６のイメージプロセッサ１４０へ出力する。この画像処理の処理条件の演算では、撮影時の露光量、撮影光源種やその他の特徴量から類似のシーンを撮影した複数のコマ画像が有るか否か判定し、類似のシーンを撮影した複数のコマ画像が有った場合には、これらのコマ画像のファインスキャン画像データに対する画像処理の処理条件が同一又は近似するように決定する。
【００５７】
なお、画像処理の最適な処理条件は、画像処理後の画像データを、レーザプリンタ部１８における印画紙への画像の記録に用いるのか、外部へ出力するのか等によっても変化する。画像処理部１６には２つのイメージプロセッサ部１３６Ａ、１３６Ｂが設けられているので、例えば、画像データを印画紙への画像の記録に用いると共に外部へ出力する等の場合には、オートセットアップエンジン１４４は各々の用途に最適な処理条件を各々演算し、イメージプロセッサ部１３６Ａ、１３６Ｂへ出力する。これにより、イメージプロセッサ部１３６Ａ、１３６Ｂでは、同一のファインスキャン画像データに対し、互いに異なる処理条件で画像処理が行われる。
【００５８】
更に、オートセットアップエンジン１４４は、入出力コントローラ１３４から入力されたコマ画像のプレスキャン画像データに基づいて、レーザプリンタ部１８で印画紙に画像を記録する際のグレーバランス等を規定する画像記録用パラメータを算出し、レーザプリンタ部１８に記録用画像データ（後述）を出力する際に同時に出力する。また、オートセットアップエンジン１４４は、外部から入力されるファイル画像データに対しても、上記と同様にして画像処理の処理条件を演算する。
【００５９】
入出力コントローラ１３４はＩ／Ｆ回路１５６を介してレーザプリンタ部１８に接続されている。画像処理後の画像データを印画紙への画像の記録に用いる場合には、イメージプロセッサ部１３６で画像処理が行われた画像データは、入出力コントローラ１３４からＩ／Ｆ回路１５６を介し記録用画像データとしてレーザプリンタ部１８へ出力される。また、オートセットアップエンジン１４４はパーソナルコンピュータ１５８に接続されている。画像処理後の画像データを画像ファイルとして外部へ出力する場合には、イメージプロセッサ部１３６で画像処理が行われた画像データは、入出力コントローラ１３４からオートセットアップエンジン１４４を介してパーソナルコンピュータ１５８に出力される。
【００６０】
パーソナルコンピュータ１５８は、ＣＰＵ１６０、メモリ１６２、ディスプレイ１６４、キーボード１６６（図２も参照、図８を用いて後述する）、マウス１７７、ハードディスク１６８、ＣＤ−ＲＯＭドライバ１７０、搬送制御部１７２、拡張スロット１７４、及び画像圧縮／伸長部１７６を備えており、これらがバス１７８を介して互いに接続されて構成されている。メモリ１６２は、各種プログラム及び固定データ等が記憶されているＲＯＭ、一時的にデータを記憶するＲＡＭ等の各種メモリが含まれている。
【００６１】
搬送制御部１７２はフィルムキャリア３８に接続されており、フィルムキャリア３８による写真フィルム２２の搬送を制御する。また、フィルムキャリア３８にＡＰＳフィルムがセットされた場合には、フィルムキャリア３８がＡＰＳフィルムの磁気層から読み取った情報（例えば画像記録サイズ等）が入力される。
【００６２】
また、メモリカード等の記憶媒体に対してデータの読出し／書込みを行うドライバ（図示省略）や、他の情報処理機器と通信を行うための通信制御装置は、拡張スロット１７４を介してパーソナルコンピュータ１５８に接続される。入出力コントローラ１３４から外部への出力用の画像データが入力された場合には、前記画像データは拡張スロット１７４を介して画像ファイルとして外部（前記ドライバや通信制御装置等）に出力される。また、拡張スロット１７４を介して外部からファイル画像データが入力された場合には、入力されたファイル画像データは、オートセットアップエンジン１４４を介して入出力コントローラ１３４へ出力される。この場合、入出力コントローラ１３４では入力されたファイル画像データをセレクタ１３２へ出力する。
【００６３】
なお、画像処理部１６は、プレスキャン画像データ等をパーソナルコンピュータ１５８に出力し、ラインＣＣＤスキャナ１４で読み取られたコマ画像をディスプレイ１６４に表示したり、印画紙に記録することで得られる画像を推定してディスプレイ１６４に表示し、キーボード１６６を介してオペレータにより画像の修正等が指示されると、これを画像処理の処理条件に反映することも可能とされている。
【００６４】
［検定作業時の画面表示について］
本発明の実施形態ではパーソナルコンピュータ１５８により写真フィルムのコマ画像の検定作業時に図６に示すようにプレスキャンで読み取ったコマ画像を１２コマずつ表示したフィルムモニタ画像２０２と、フィルムモニタ画像２０２のうち検定作業の対象として６コマずつ順に表示した検定画像２０４とが同時にディスプレイ１６４に表示できるよう構成されている。
【００６５】
また、１２コマのコマ画像を含むフィルムモニタ画像２０２には、検定画像２０４の６コマのコマ画像に対応する範囲を示す枠線２０６が表示される。この枠線２０６により、検定画像２０４の６コマがフィルムモニタ画像２０２のどれに相当するかをオペレータは容易に把握することができるようになっている。
【００６６】
［キーボードの構成］
図７には、本発明の実施形態におけるキーボード１６６の構成が示されている。このキーボード１６６には、プリント動作の開始・停止等の動作を指示するためのコマンドキー、色バランスや濃度補正等で補正の度合いを指示するためのフィールド選択キー、項目選択等を行うためのコントローラー移動キー、フィルムの移動を指示するためのフィルム移動キー、その他のファンクションキーの計５種類のキーが設けられている。
【００６７】
このうちコマンドキーとしては、プリント動作を停止させるためのプリントストップキー３６２、全自動モードのスキャン動作を停止させるためのスキャンキャンセルキー３６４、プリントの受付番号の更新やカラーペーパーへのソートマークの付加等を指示するソートキー３６６、ヘルプ画面を表示させるためのヘルプキー３１２、オートキャリアのフィルム送り動作の全自動／半自動／手動を切り替えるためのフィルムドライブキー３２２、標準サイズ・パノラマサイズ・ハイビジョンサイズの画像が１つのフィルムに混在している場合にフィルムサイズを切り替えるためのサイズ切替キー３２４、出力するプリントサイズを選択するためのプリントサイズ選択キー３３６、色バランスや画像濃度の補正条件やプリント枚数の条件の保持を指示するためのホールドキー３３４、及びプリント動作を開始させるためのスタートキー３７８が設けられている。
【００６８】
また、フィールド選択キーとしては、プリント枚数を指定する際に操作される枚数焼キー３４８、シアン色について色補正を指示するためのＣ色補正キー３１６、３２８、マゼンタ色について色補正を指示するためのＭ色補正キー３１８、３３０、黄色について色補正を指示するためのＹ色補正キー３２０、３３２、及び濃度補正を指示するための濃度補正キー３３８、３４０、３４２、３４４、３４６が設けられており、上記のうち１０個のキー３３８、３４０、３４２、３４４、３２８、３３０、３３２、３１６、３１８、３２０は順に０〜９の数字を表すキーと共用されている。カラーキーキャンセルキー３５０を操作することにより上記１０個のキーの色補正又は濃度補正キーとしての機能がキャンセルされ、数字を表すキーとして機能するよう切り替えられる。
【００６９】
また、コントローラー移動キーとしては、ウインドウ内の入力枠の選択やプルダウンメニューの移動を指示するフィールド移動キー３７６、それぞれ上下左右方向の項目を選択するための上向き矢印キー３６８、下向き矢印キー３７２、左向き矢印キー３７０、右向き矢印キー３７４が設けられており、前述したスタートキー３７８は入力操作の決定（例えば、検定完了など）やファインスキャン開始指示等でも使用される。
【００７０】
また、フィルム移動キーとしては、選択中の検定画像を低速で左送りするための左送りキー３５２、選択中の検定画像を低速で右送りするための右送りキー３５８、検定画像の選択を１コマ戻すためのコマ戻しキー３５４、検定画像の選択を１コマ送るためのコマ送りキー３５６、及び選択中の検定画像を枚数０として検定画像の選択を１コマ送るためのパスキー３６０が設けられており、前述したスキャンキャンセルキー３６４はフィルムがロードされている状態から巻き戻す場合に、スタートキー３７８はフィルムが装填され且つ未ロードの状態からロードする場合に、それぞれ使用される。
【００７１】
さらに、ファンクションキーとしては、同時押し下げにより他のキーの機能割り当てを変更するためのシフトキー３２６やオルトキー３１４、及び画面／モードに応じた各種機能を割り当て可能なファンクションキー３０２、３０４、３０６、３０８、３１０が設けられている。
【００７２】
［本実施形態の作用］
次に、本発明の実施の形態の作用として、プレスキャン、ファインスキャン、検定作業時に、パーソナルコンピュータ１５８のＣＰＵ１６０によって実行される制御ルーチンの一例を図８及び図９に示す。なお、読取対象の画像が記録されたフィルム２２としては、ＡＰＳフィルムでも良いし、１３５フィルム等のその他のフィルムでも良い。オペレータがフィルム２２をフィルムキャリア３８の挿入口３８Ａ（図２参照）に挿入して、キーボード１６６のスタートキー３７８を操作すると、図８及び図９に示す制御ルーチンがＣＰＵ１６０によって実行開始される。
【００７３】
これらの図においてステップ４０２でフィルム２２がフィルムキャリア３８の内部へ取り込まれると、次のステップ４０４で１コマ目から順にプレスキャンを開始する。そして、ステップ４０６でプレスキャンで得られた各コマ画像の画像データより、各コマ画像に対するファインスキャン時の読取条件を設定する。このようにしてフィルム２２の各コマ画像に対し、プレスキャンと、ファインスキャン時の読取条件の設定とを実行していく。
【００７４】
そして、全コマ画像に対しプレスキャン及びファインスキャン時の読取条件の設定が完了すると（ステップ４０８）、ステップ４１０へ進み、プレスキャンを停止すると共にフィルム２２を巻き戻す。
【００７５】
次のステップ４１２では、フィルムモニタ画像２０２（図６参照）として所定数（例えば、１２コマ）のコマ画像を表示し、次のステップ４１４でファインスキャンを起動する。
【００７６】
そして、このファインスキャンが最初の６コマに対し完了すると（ステップ４１６）、ステップ４１８へ進み、ファインスキャンで得られた最初の６コマのコマ画像を検定画像２０４（図６参照）として表示する。また、フィルムモニタ画像２０２にて、検定画像２０４の６コマのコマ画像に対応する範囲を枠線２０６で囲む。
【００７７】
次にステップ４２０では検定画像２０４の６コマのコマ画像において記録フォーマットの異なるコマ画像が混在しているか否かを判定する。この判定は写真フィルム２２に各コマに対応して撮影時に記録されている撮影情報を参照することにより判定される。すなわち、各コマ画像の記録フォーマットが標準サイズ、パノラマサイズ、ハーフサイズ、ハイビジョンサイズのいずれであるかを判定する。ステップ４２０で検定画像２０４の６コマのコマ画像が例えば、全て標準サイズであり、記録フォーマットの異なるコマ画像が混在していないと判定した場合にはステップ４２６に移行する。
【００７８】
またステップ４２０で図１３（Ａ）に示すように検定画像表示エリア３００に表示される検定画像２０４の６コマのコマ画像（コマＮｏ．ｋ〜ｋ＋５）が例えば、標準サイズのコマ画像Ｆ（コマＮｏ．ｋ，ｋ＋３，ｋ＋４，ｋ＋５）の他にパノラマサイズのコマ画像Ｐ（コマＮｏ．ｋ＋１，ｋ＋２）が混在している場合にはステップ４２２に移行する。
【００７９】
ステップ４２２では各コマ画像の表示サイズの変更指示を促すメッセージがディスプレイ１６４に表示され、これに対してオペレータがコマＮｏ．ｋ＋１，ｋ＋２のパノラマサイズのコマ画像についてディスプレイ１６４の検定画像表示エリア３００に表示される表示サイズを拡大（例えば、縦、横各２倍に拡大）するように表示サイズの変更を指示すると、ステップ４２４で検定画像の表示エリア３００には図１３（Ｂ）に示すようにコマＮｏ．ｋ＋１，ｋ＋２のパノラマサイズのコマ画像が拡大されたパノラマ画像２Ｐとして表示される。この場合に本実施の形態では通常、検定画像は検定画像表示エリア３００に６コマが表示されるが、このようにコマ画像が拡大されて表示される場合には画像表示エリア３００に表示される検定画像のコマ数は６コマより少なくなる。
【００８０】
次いでステップ４２６では検定開始を促すメッセージをディスプレイ１６４に表示し、各コマ画像についてオペレータに検定処理させる。
【００８１】
オペレータは、各コマ画像について検定作業が終了した場合にはスタートキー３７８を操作することで、対象のコマ画像の検定完了を指示する。ステップ４２８でオペレータにより検定完了が指示されると、ステップ４３０へ進み、検定画像２０４の６コマのコマ画像の全てに対し検定作業が完了したか否かを判定する。ここで、未完了であれば、ステップ４２６に戻り、次のコマ画像について検定処理を続行する。
【００８２】
このようにして検定画像２０４の６コマのコマ画像に対し、１コマずつ検定作業を実行していく。そして、６コマとも検定作業が完了すると、ステップ４３２に進み、全コマのコマ画像に対し検定作業が完了したか否かを判定する。ここで未完了であれば、ステップ４３４へ進み、次に検定作業を行うべき６コマのコマ画像に対しファインスキャンが既に完了しているか否かをチェックする。ファインスキャンが未完了であれば、次の６コマについてファインスキャンが完了するまで待機する。
【００８３】
一方、次の６コマのコマ画像に対しファインスキャンが既に完了しておれば、ステップ４３６へ進み、全コマのコマ画像に対しファインスキャンが完了しているか否かをチェックする。全コマについては未完了であれば、ステップ４１８へ戻り、次の６コマのコマ画像に対する検定作業へと移行する。
【００８４】
このようにしてコマ画像を６コマずつ検定画像として表示しながら、そのうちの１コマずつ検定作業を実行していく。
【００８５】
検定作業の途中で全コマについてファインスキャンが完了すれば、ステップ４３６で肯定判定され、ステップ４３０でファインスキャンの停止及び写真フィルム２２の巻き戻しを行ってから、ステップ４１８へ戻る。
【００８６】
そして、全コマについて検定作業が完了すると、ステップ４３２で肯定判定され、図８及び図９に示した制御ルーチンの実行を終了する。
【００８７】
以上に説明した制御ルーチンでは、写真フィルムに記録フォーマットの異なるコマ画像が混在して記録されている場合において、記録フォーマットの異なるコマ画像の検定作業を行う際に複数のコマ画像を１画面に同時に表示する場合に各コマ画像について写真フィルムに記録されている前記各コマ画像の記録フォーマットに応じて表示画像の大きさを変更するので、例えば、パノラマサイズの記録フォーマットで撮影されたコマ画像は標準サイズの記録フォーマットで撮影されたコマ画像と同等、あるいはそれ以上の大きさで表示されるので、検定作業の作業効率の向上が図れる。
【００８８】
次にパーソナルコンピュータ１５８のＣＰＵ１６０によって実行される制御ルーチンの他の例を図１０及び図１１に示す。尚、図８におけるステップ４０２〜４１４の処理は図１０においても同じであるのでその処理内容は符号のみで略記し、重複する説明は省略する。
【００８９】
まず図１０及び図１１に示す制御ルーチンが起動されると、既述したように図８のステップ４０２〜４１４の処理が実行され、処理はステップ５０２に移行する。ステップ５０２では全てのコマ画像についてファインスキャンが完了したか否かを判定する。この判定が否定された場合には肯定されるまで待機する。ステップ５０２の判定が肯定された場合には次のステップ５０４でインデックスプリントするコマ画像を検定画像として例えば、図１４（Ａ）に示すように検定画像表示エリア３００に表示する。図１４（Ａ）においてＦは標準サイズのコマ画像であり、Ｐはパノラマサイズのコマ画像である。
【００９０】
更にステップ５０６ではインデックスプリントする検定画像２０４に記録フォーマットの異なるコマ画像が混在するか否かを判定する。この判定は写真フィルム２２に各コマに対応して撮影時に記録されている撮影情報を参照することにより判定される。すなわち、各コマ画像の記録フォーマットが標準サイズ、パノラマサイズ、ハーフサイズ、ハイビジョンサイズのいずれであるかを判定する。
【００９１】
ステップ５０６で記録フォーマットの異なるコマ画像は無いと判定し場合にはステップ５１６に移行する。またステップ５０６でインデックスプリントする検定画像２０４に記録フォーマットの異なるコマ画像が混在すると判定した場合、例えば、図１４（Ａ）に示すように標準サイズのコマ画像Ｆとパノラマサイズのコマ画像Ｐとが混在する場合にはステップ５０８に移行する。この時、ディスプレイ１６４にはオペレータにコマ画像の表示サイズの変更指示をするか否かを促すメッセージが表示される。これに対してステップ５０８でオペレータが現在、検定対象になっているコマ画像が例えば、図１４（Ａ）におけるコマＮｏ．ｉのパノラマサイズのコマ画像Ｐである場合にコマＮｏ．ｉのコマ画像をディスプレイ１６４の検定画像表示エリア３００に隣接するプリントプレビュー画像表示エリア（図示せず）に表示される表示サイズを拡大（例えば、縦、横各２倍に拡大）するように表示サイズの変更を指示すると、ステップ５１０でプリントプレビュー画像表示エリアにはコマＮｏ．ｉのパノラマサイズのコマ画像が拡大されて表示され、処理はステップ５１２に移行する。
【００９２】
またステップ５０８で現在、検定対象になっているコマ画像について表示サイズの変更の指示が無い場合にはステップ５１２に移行する。
【００９３】
次いでステップ５１２ではメモリ１６２のＲＡＭの所定のメモリエリアに各コマＮｏ．に対応させて表示サイズ変更の指示の有無に応じて表示サイズを示す表示サイズデータが記憶される。更にステップ５１４で全てのコマについて表示サイズのチェックが終了したか否かを判定する。全てのコマについて表示サイズのチェックが終了してない場合にはステップ５０８に戻り、ステップ５０８〜ステップ５１４の処理を繰り返す。ステップ５１４の判定が肯定された場合、すなわち全てのコマについて表示サイズのチェックが終了した場合にはステップ５１６に移行する。ここでディスプレイ１６４にはオペレータにインデックスプリントするコマ画像の配列の変更指示をするか否かを促すメッセージが表示される。これに対してステップ５１６でオペレータが検定画像表示エリア３００に表示されるコマ画像の配列の変更を指示すると、検定画像表示エリア３００に表示されているインデックスプリントするコマ画像のうち指定されたコマ画像の配列が変更されて表示され（ステップ５１８）、ステップ５２０に移行する。
【００９４】
またステップ５１６で現在、検定対象になっているコマ画像について配列の変更の指示が無い場合にはステップ５２０に移行する。そしてステップ５２０ではメモリ１６２内のＲＡＭの所定のメモリエリアにコマＮｏ．に対応させて配列変更の有無に応じてコマ画像の配列を示すコマ画像配列データが記憶される。
【００９５】
更に次のステップ５２２では、インデックスプリントするすべてのコマ画像について配列変更の有無についてチェックをしたか否かを判定する。ステップ５２２の判定が否定された場合にはステップ５１６に戻り、次のコマ画像について配列の変更の指示が有るか否を判定し、コマ画像の配列の変更の指示が有った場合にはステップ５１８で検定画像表示エリア３００に表示されているインデックスプリントするコマ画像のうち指定されたコマ画像の配列が変更されて表示され、ステップ５２０でメモリ１６２内のＲＡＭの所定のメモリエリアにコマＮｏ．に対応させてコマ画像の配列を示すコマ画像配列データが記憶された後、ステップ５２２に移行する。
【００９６】
またステップ５１６でコマ画像の配列の変更の指示がない場合にはステップ５２０に移行し、ステップ５２０でメモリ１６２内のＲＡＭの所定のメモリエリアにコマＮｏ．に対応させてコマ画像の配列を示すコマ画像配列データが記憶された後、ステップ５２２に移行する。ステップ５２２ではインデックスプリントする全てのコマ画像について配列変更の有無についてチェックを終了した場合、すなわち、例えば、図１４（Ｂ）に示すようにパノラマサイズのコマ画像Ｐを全て、右端に配列するように変更し、全てのコマ画像の配列についてチェックを終了すると、処理はステップ５２４に移行する。
【００９７】
ステップ５２４では検定開始を促すメッセージをディスプレイ１６４に表示し、各コマ画像についてオペレータに検定処理をさせる。検定画像表示領域３００に表示されたインデックスプリントする全てのコマ画像について検定作業が終了するまでステップ５２４の処理を繰り返し、ステップ５２６で全てのコマ画像について検定作業が終了したと判定された場合にはステップ５２８に移行する。
【００９８】
ステップ５２８ではインデックスプリントする全てのコマ画像についてコマＮｏ．に対応させて各コマ画像の表示サイズデータ及びコマ画像配列データをメモリ１６２内のＲＡＭの所定のメモリエリアより読み出し、イメージプロセッサ１４０に出力する。イメージプロセッサ１４０では画像メモリ１４１より各コマ画像の画像データを読み出し、コマＮｏ．に対応させて各コマ画像の画像データと、パーソナルコンピュータ１５８内のＣＰＵ１６０より受け取った各コマ画像の表示サイズデータ及びコマ画像配列データを入出力コントローラ１３４、インターフェース（Ｉ／Ｆ）１５６を介してレーザプリンタ部１８に出力する。この結果、記録フォーマットに応じてプリントサイズが変更され、あるいはコマ画像の配列が変更された状態でレーザプリンタ部１８によりインデックスプリントが印画紙に記録される。
【００９９】
以上に説明した制御ルーチンでは、写真フィルムに記録フォーマットの異なるコマ画像が混在して記録されている場合において、該写真フィルムからインデックスプリントを作製するに際して検定作業時にインデックスプリントとして記録される各コマ画像を前記写真フィルムに記録されている前記各コマ画像の記録フォーマットに応じて表示画像の大きさを変更してプレビュー画面に表示するので、例えば、パノラマサイズの記録フォーマットで撮影されたコマ画像は標準サイズの記録フォーマットで撮影されたコマ画像と同等、あるいはそれ以上の大きさで表示されるので、検定作業における視認性の向上が図れる。
【０１００】
また写真フィルムに記録フォーマットの異なるコマ画像が混在して記録されている場合において、該写真フィルムからインデックスプリントを作製するに際して前記写真フィルムに記録されている前記各コマ画像の記録フォーマットに応じて各コマのプリント画像の大きさを変更し、または各コマのプリント画像の配列順序を変更するようにしたので、例えば、パノラマサイズの記録フォーマットで撮影されたコマ画像は標準サイズの記録フォーマットで撮影されたコマ画像と同等、あるいはそれ以上の大きさでプリントされ、また各コマのプリント画像の配列を、例えば、同一サイズのものについては同じ列に配置させるように変更するようにしたので、インデックスプリントの視認性の向上が図れる。
【０１０１】
次にパーソナルコンピュータ１５８のＣＰＵ１６０によって実行される制御ルーチンの更に他の例を図１２に示す。尚、図８、図９におけるステップ４０２〜４１８、ステップ４２６〜４３８の処理は図１２においても同じであるのでステップ４０２〜４１４、ステップ４３２〜４３８の処理内容は符号のみで略記して説明を省略するが、図１２におけるステップ４１６、４１８、４２６〜４３０は図８、図９に示す制御ルーチンの内容と重複するが、説明の便宜上、重複して説明する。
【０１０２】
まず図１２に示す制御ルーチンが起動されると、既述したように図８のステップ４０２〜４１４の処理が実行され、処理はステップ４１６に移行する。ステップ４１６でファインスキャンが最初の６コマについて対して完了したか否かを判定する。この判定が否定された場合は肯定されるまで待機する。ステップ４１６の判定が肯定されると、ステップ４１８に移行し、ファインスキャンで得られた最初の６コマのコマ画像を検定画像２０４（図１５（Ａ）参照）として表示する。また、図１５では図示してないが、図６に示すようにフィルムモニタ画像２０２において、検定画像２０４の６コマのコマ画像に対応する範囲を枠線２０６で囲む。
【０１０３】
次のステップ６０２では、検定画像２０４の６コマのコマ画像のいずれかに関連するコマ画像が現在、検定画像表示領域３００に表示されていないコマ画像で他に有るか否かを写真フィルム２２にの全コマ画像について検索し、関連するコマ画像の有無を判定する。写真フィルム２２がＡＰＳフィルムである場合には撮影時に各コマに対応して関連するコマ画像、例えば、連続シーン等を示すコマ画像については関連するコマ画像であることを示す識別情報が撮影者により写真フィルム２２に記録されるので、この識別情報に基づいて判定することができる。
【０１０４】
また写真フィルム２２が１３５フィルムである場合にはプレスキャンにより得られたコマ画像の画像データの特徴量を抽出することにより例えば、コマ画像の中央部が明るく、かつ周辺部が暗い場合にはスロトボを発光させたと判定し、連続シーンであると判定することができる。更にプレスキャンにより得られたコマ画像の色温度を検出し、この色温度の分布の類似性から関連するコマ画像であることを判定することができる。
【０１０５】
このようにして現在、検定画像表示エリア３００に表示されているコマ画像に関連する一連のコマ画像を写真フィルム２２の全コマ画像から検索し、相互に関連するコマ画像が有る場合には（ステップ６０２）、例えば、図１５（Ａ）においてコマＮｏ．ｍ＋1 、ｍ＋2 、ｍ＋3 、ｍ＋4 が相互に関連するコマ画像であり、これ以外にコマＮｏ．ｍ＋5 〜ｍ＋12が関連するコマ画像である場合に、ステップ６０４で図１５（Ｂ）に示すように関連する一連のコマ画像（コマＮｏ．ｍ＋1 〜ｍ＋12）を検定画像表示エリア３００の１画面に表示させる。
【０１０６】
次いでステップ４２６では検定開始を促すメッセージをディスプレイ１６４に表示し、各コマ画像についてオペレータに検定処理させる。
【０１０７】
オペレータは、各コマ画像について検定作業が終了した場合にはスタートキー３７８を操作することで、対象のコマ画像の検定完了を指示する。ステップ４２８でオペレータにより検定完了が指示されると、ステップ４３０へ進み、検定画像２０４の６コマのコマ画像の全てに対し検定作業が完了したか否かを判定する。ここで、未完了であれば、ステップ４２６に戻り、次のコマ画像について検定処理を続行する。以降、既述した図９に示すステップ４３２〜４３８の処理を行い、この制御ルーチンの実行を終了する。
【０１０８】
以上に説明した制御ルーチンでは、写真フィルムに記録された連続シーン等の関連が有る一連のコマ画像について検定作業を行う際に、複数のコマ画像を１画面に同時に表示する場合に連続シーン等の関連する一連のコマ画像であることを示す情報が前記写真フィルムに記録されているか否か、あるいは前記本読み取りにより得られたコマ画像から関連する一連のコマ画像であると判定されたか否かに応じて１画面に表示するコマ画像の数を変更するようにしたので、関連する一連のコマ画像は１画面中に表示され、それ故検定作業の作業効率の向上が図れる。
【０１０９】
以上説明したように、請求項１に記載の発明によれば、写真フィルムに記録フォーマットの異なるコマ画像が混在して記録されている場合において、記録フォーマットの異なるコマ画像の検定作業を行う際に複数のコマ画像を表示手段の１画面に同時に表示する場合に各コマ画像について写真フィルムに記録されている前記各コマ画像の中に記録フォーマットの異なるコマ画像が含まれているか否かを判定する。前記各コマ画像の中に記録フォーマットの異なるコマ画像が含まれていると判定されたときに、前記表示手段に表示される記録フォーマットの異なるコマ画像の大きさ及び配列を変更して前記表示手段に表示させる。例えば、パノラマサイズの記録フォーマットで撮影されたコマ画像は標準サイズの記録フォーマットで撮影されたコマ画像と同等、あるいはそれ以上の大きさで表示され、配列を変更できるので、検定作業の作業効率の向上が図れる。
【図面の簡単な説明】
【図１】本発明の実施形態に係る画像処理装置としてのディジタルラボシステムの概略構成を示すブロック図。
【図２】図１に示したディジタルラボシステムの外観図。
【図３】ラインＣＣＤスキャナの光学系の概略構成図。
【図４】ラインＣＣＤスキャナの電気系の概略構成を示すブロック図。
【図５】画像処理部の概略構成を示すブロック図。
【図６】図５に示すディスプレイにおけるフィルムモニタ画像及び検定画像の表示内容の概要を示す説明図。
【図７】図５に示すキーボードの構成図。
【図８】本発明の実施形態において実行される制御ルーチンの内容の一例を示すフローチャート。
【図９】本発明の実施形態において実行される制御ルーチンの内容の一例を示すフローチャート。
【図１０】本発明の実施形態において実行される制御ルーチンの内容の他の例を示すフローチャート。
【図１１】本発明の実施形態において実行される制御ルーチンの内容の他の例を示すフローチャート。
【図１２】本発明の実施形態において実行される制御ルーチンの内容の更に他の例を示すフローチャート。
【図１３】検定作業時にディスプレイに表示される検定画像の一例を示す説明図。
【図１４】検定作業時にディスプレイに表示される検定画像の他の例を示す説明図。
【図１５】検定作業時にディスプレイに表示される検定画像の更に他の例を示す説明図。
【符号の説明】
１０    ディジタルラボシステム
１４    ラインＣＣＤスキャナ
１８    レーザプリンタ部
２２    写真フィルム
３８    フィルムキャリア
１４０  イメージプロセッサ
１４１  画像メモリ
１５８  パーソナルコンピュータ
１６０  ＣＰＵ
１６２  メモリ
１６４  ディスプレイ
１６６  キーボード
２０２  フィルムモニタ画像（読取コマ画像）
２０４  検定画像（検定コマ画像）
【図１】
0003813713.tif 000002
【図２】
0003813713.tif 000003
【図３】
0003813713.tif 000004
【図４】
0003813713.tif 000005
【図５】
0003813713.tif 000006
【図６】
0003813713.tif 000007
【図７】
0003813713.tif 000008
【図８】
0003813713.tif 000009
【図９】
0003813713.tif 000010
【図１０】
0003813713.tif 000011
【図１１】
0003813713.tif 000012
【図１２】
0003813713.tif 000013
【図１３】
0003813713.tif 000014
【図１４】
0003813713.tif 000015
【図１５】
0003813713.tif 000016